(57)【要約】【課題】測定部を備える本体の被測定部位への密着性を改善して、さらに正確な測定を可能にする生体情報測定装置を提供する。【解決手段】生体情報測定装置１は、被測定部位３に密着して配置される下面１５を有する本体１０と、本体の内部又は下面の側に配置されて被測定者の生体情報を測定する測定部５０と、本体の下面の反対面である上面１６の側に設けられ、測定部によって測定された生体情報に関する情報を表示する表示部１１４と、被測定部位を取り巻くとともに本体の上面の側に作用して、本体の下面が被測定部位から離れないように規制するバンド２０と、を備え、バンド２０は、表示部に対応する位置に形成され且つ表示部が本体の外部から見えることを許容する窓部２４を有する。【選択図】図３
2014018357.tif 000002
【特許請求の範囲】
【請求項１】
被測定者の被測定部位に密着して配置される下面を有する本体と、
前記本体の内部又は前記下面の側に配置されて被測定者の生体情報を測定する測定部と、
前記本体の前記下面の反対面である上面の側に設けられ、前記測定部によって測定された生体情報に関する情報を表示する表示部と、
前記被測定部位を取り巻くとともに前記本体の前記上面の側に作用して、前記本体の前記下面が前記被測定部位から離れないように規制するバンドと、を備え、
前記バンドは、前記表示部に対応する位置に形成され且つ前記表示部が前記本体の外部から見えることを許容する窓部を有する、生体情報測定装置。
【請求項２】
請求項１に記載の生体情報測定装置において、
前記バンドが前記本体に対して着脱自在に構成されている、生体情報測定装置。
【請求項３】
請求項１又は２に記載の生体情報測定装置において、
前記本体が、前記バンドよりも前記本体の前記下面の側に位置する基部と、前記下面に沿った面方向に関して前記基部のサイズよりも小さなサイズを有して、前記基部の上面から前記下面とは反対側に向けて突出する頭部と、を有し、
前記バンドの前記窓部は、前記頭部を受け入れるように開いた開口部である、生体情報測定装置。
【請求項４】
請求項３に記載の生体情報測定装置において、
前記本体は、前記基部から前記頭部が突出する方向に関して前記基部と前記頭部との間に、前記下面に沿った面方向に関して前記頭部のサイズよりも小さなサイズを有する首部を備え、
前記バンドの開口部のサイズが、前記首部のサイズに略一致している、生体情報測定装置。
【請求項５】
請求項３又は４に記載の生体情報測定装置において、
前記本体の重心が、前記基部に位置している、生体情報測定装置。
【請求項６】
請求項１に記載の生体情報測定装置において、
前記本体と前記バンドとの間に、前記本体と前記バンドとが前記下面に沿った面方向に関して相対的に移動することを規制する規制部を備える、生体情報測定装置。
【請求項７】
請求項６に記載の生体情報測定装置において、
前記バンドの前記窓部が、略矩形形状の開口部であり、
前記規制部は、当該略矩形形状の開口部を形成する辺と、前記本体において前記基部の前記上面から前記下面とは反対側に向けて突出する部分と、からなる、生体情報測定装置。
【請求項８】
請求項６に記載の生体情報測定装置において、
前記バンドの前記窓部は、透明部材からなり、
前記規制部は、前記バンドの前記透明部材の周囲に設けられた係合孔と、前記本体の前記上面において前記係合孔に対応する位置に設けられたピンと、からなる、生体情報測定装置。
【請求項９】
請求項１乃至８のいずれか１つに記載の生体情報測定装置において、
前記バンドは、前記本体に接する第１バンド部分と、前記第１バンド部分に連結されて前記被測定部位を取り巻く第２バンド部分と、を有する、生体情報測定装置。
【請求項１０】
請求項９に記載の生体情報測定装置において、
前記第２バンド部分の伸縮性が前記第１バンド部分の伸縮性よりも大きい、生体情報測定装置。
【請求項１１】
請求項１乃至１０のいずれか１つに記載の生体情報測定装置において、
前記バンドを補強するための補強シートが、前記バンドの開口部を囲むように設けられている、生体情報測定装置。
【請求項１２】
請求項１１に記載の生体情報測定装置において、
前記開口部が略矩形形状をしていて、
前記補強シートは、略矩形形状をした前記開口部のコーナー部に対応するシート側コーナー部分において、切欠を有する、生体情報測定装置。
【請求項１３】
請求項１乃至１２のいずれか１つに記載の生体情報測定装置において、
前記測定部によって測定される生体情報が、脈波又は脈拍数である、生体情報測定装置。
【発明の詳細な説明】
【技術分野】
【０００１】
この発明は、被測定部位に密着して配置されて生体情報を測定する本体と、当該本体を被測定部位に密着して配置するために被測定部位を取り巻くバンドと、を有する生体情報測定装置に関する。
【背景技術】
【０００２】
従来、被測定者の腕や手首等の被測定部位に装着して、被測定者の脈波や脈拍数や血圧等の生体情報を測定する生体情報測定装置が知られている。このような生体情報測定装置は、生体情報を測定する測定部を有して被測定部位に密着して配置される本体と、当該本体を被測定部位に密着して配置するためのバンドと、を備えている。例えば、特許文献１は、発光素子及び受光素子を含む測定部を収納する外ケースと、該外ケースに取り付けられたバンドと、を備えて、手首に巻き付けて装着される腕時計タイプの脈拍数検出装置を開示している。
【先行技術文献】
【特許文献】
【０００３】
【特許文献１】特開２００２−３６０５３０号公報
【発明の概要】
【発明が解決しようとする課題】
【０００４】
特許文献１に開示された脈拍数検出装置は、発光素子からの光を被測定部位に照射して動脈を流れる赤血球で反射された反射光を受光素子で受光することにより脈波及び脈拍数を検出する。正確な測定を実行するためには、発光素子及び受光素子を備える測定部を収納した外ケースが手首等の被測定部位に密着して配置されている必要がある。
【０００５】
特許文献１の脈拍数検出装置では、バンドが、外ケースの被測定部位側すなわち下面側の各端部に取り付けられている構成になっている。バンドが外ケースの下面側の各端部に取り付けられた構成では、外ケースに取り付けられたバンドを被測定部位に取り巻いたとき、バンドをバンド長手方向（被測定部位の周方向）に引っ張る張力がバンドに作用する。しかしながら、バンド長手方向の張力は、被測定部位に対するバンドの接触面に関しては、略平行に作用する力であるので、バンドの接触面に対して直交して被測定部位の中心部に向かう直交方向分力が小さい。このため、特許文献１の脈拍数検出装置では、測定部を収納した外ケースの被測定部位への密着性が不十分となり、正確な測定を妨げる恐れがあるという問題がある。
【０００６】
そこで、この発明の課題は、測定部を備える本体の被測定部位への密着性を改善して、さらに正確な測定を可能にする生体情報測定装置を提供することである。
【課題を解決するための手段】
【０００７】
上記課題を解決するため、この発明の生体情報測定装置は、被測定者の被測定部位に密着して配置される下面を有する本体と、前記本体の内部又は前記下面の側に配置されて被測定者の生体情報を測定する測定部と、前記本体の前記下面の反対面である上面の側に設けられ、前記測定部によって測定された生体情報に関する情報を表示する表示部と、前記被測定部位を取り巻くとともに前記本体の前記上面の側に作用して、前記本体の前記下面が前記被測定部位から離れないように規制するバンドと、を備え、前記バンドは、前記表示部に対応する位置に形成され且つ前記表示部が前記本体の外部から見えることを許容する窓部を有することを特徴とする。
【０００８】
この発明の生体情報測定装置では、バンドの設けられた本体の上面の側と、本体の下面との間には、被測定部位の周面に対して直交する直交方向距離が存在するので、被測定部位との接触面に対して直交して被測定部位の中心部に向かう直交方向分力が大きくなる。大きくなった直交方向分力により、測定部を備える本体の被測定部位への密着性を改善することができる。したがって、この発明の生体情報測定装置は、本体の被測定部位への密着性を改善して、さらに正確な測定を行うことができる。また、本体の上面の側に設けられたバンドが窓部を有する構成になっているので、本体の上面の側に設けられた表示部がバンドで覆い隠されることがなく、表示部が外部から見える。したがって、ユーザ（被測定者を含む。）が、表示部に表示された測定結果を本体の外部から見ることができる。
【０００９】
一実施形態の生体情報測定装置では、前記バンドが前記本体に対して着脱自在に構成されていることを特徴とする。
【００１０】
この一実施形態の生体情報測定装置では、本体に対してバンドを取り外すことにより本体及びバンドの洗浄が容易となる。
【００１１】
一実施形態の生体情報測定装置では、前記本体が、前記バンドよりも前記本体の前記下面の側に位置する基部と、前記下面に沿った面方向に関して前記基部のサイズよりも小さなサイズを有して、前記基部の上面から前記下面とは反対側に向けて突出する頭部と、を有し、前記バンドの前記窓部は、前記頭部を受け入れるように開いた開口部であることを特徴とする。
【００１２】
この一実施形態の生体情報測定装置では、基部と、当該基部より小さな頭部と、を有する段差構造が形成されているので、窓部としての開口部を通じて頭部の出し入れを行うことで、バンドに対する本体の取り付け及び取り外しが容易になる。
【００１３】
一実施形態の生体情報測定装置では、前記本体は、前記基部から前記頭部が突出する方向に関して前記基部と前記頭部との間に、前記下面に沿った面方向に関して前記頭部のサイズよりも小さなサイズを有する首部を備え、前記バンドの開口部のサイズが、前記首部のサイズに略一致していることを特徴とする。
【００１４】
この一実施形態の生体情報測定装置では、本体の首部がバンドの開口部に係合するように寸法構成されているので、本体がバンドから外れにくくなる。
【００１５】
一実施形態の生体情報測定装置では、前記本体の重心が、前記基部に位置していることを特徴とする。
【００１６】
この一実施形態の生体情報測定装置では、本体が被測定部位に対して安定的に密着して配置される。
【００１７】
一実施形態の生体情報測定装置では、前記本体と前記バンドとの間に、前記本体と前記バンドとが前記下面に沿った面方向に関して相対的に移動することを規制する規制部を備えることを特徴とする。
【００１８】
この一実施形態の生体情報測定装置では、規制部により、本体の下面に沿った面方向での本体及びバンドの相対的な位置ずれを防止することができる。
【００１９】
一実施形態の生体情報測定装置では、前記バンドの前記窓部が、略矩形形状の開口部であり、前記規制部は、当該略矩形形状の開口部を形成する辺と、前記本体において前記基部の前記上面から前記下面とは反対側に向けて突出する部分と、からなることを特徴とする。
【００２０】
この一実施形態の生体情報測定装置では、略矩形形状の開口部を形成する辺と、本体における突出する部分と、を規制部として利用することにより、新たな規制要素を別途設けることが不要になる。
【００２１】
一実施形態の生体情報測定装置では、前記バンドの前記窓部は、透明部材からなり、前記規制部は、前記バンドの前記透明部材の周囲に設けられた係合孔と、前記本体の前記上面において前記係合孔に対応する位置に設けられたピンと、からなることを特徴とする。
【００２２】
この一実施形態の生体情報測定装置では、本体の上面を押さえ付けるバンドに設けられた透明部材を介して表示部を見ることができ、頭部や首部のような段差構造が不要となる本体構造になるので、本体構造の簡略化・小型化に寄与することができる。
【００２３】
一実施形態の生体情報測定装置では、前記バンドは、前記本体に接する第１バンド部分と、前記第１バンド部分に連結されて前記被測定部位を取り巻く第２バンド部分と、を有することを特徴とする。
【００２４】
この一実施形態の生体情報測定装置では、第１バンド部分と第２バンド部分とが異なるものであるので、バンドのデザイン性を高めることができ、必要に応じて第２バンド部分のみを洗濯に供することができる。
【００２５】
一実施形態の生体情報測定装置では、前記第２バンド部分の伸縮性が前記第１バンド部分の伸縮性よりも大きいことを特徴とする。
【００２６】
この一実施形態の生体情報測定装置では、伸縮性の大きな第２バンド部分が密着性の向上に貢献し、伸縮性の小さい第１バンド部分が本体の安定的な取り付けに貢献するので、さらに正確な測定を行うことができる。
【００２７】
一実施形態の生体情報測定装置では、前記バンドを補強するための補強シートが、前記バンドの開口部を囲むように設けられていることを特徴とする。
【００２８】
この一実施形態の生体情報測定装置では、補強シートによって本体がバンドから外れにくくなり、本体が開口部に収まることで美観性が向上し、本体をバンドに対して着脱（取り付け及び取り外し）するときの耐久性も向上する。
【００２９】
一実施形態の生体情報測定装置では、前記開口部が略矩形形状をしていて、前記補強シートは、略矩形形状をした前記開口部のコーナー部に対応するシート側コーナー部分において、切欠を有することを特徴とする。
【００３０】
この一実施形態の生体情報測定装置では、切欠により、補強シートのうち、シート側コーナー部分における局所的な伸縮性が確保されるので、バンドに対する本体の取り付け及び取り外しが容易になる。
【００３１】
一実施形態の生体情報測定装置では、前記測定部によって測定される生体情報が、脈波又は脈拍数であることを特徴とする。
【００３２】
この一実施形態の生体情報測定装置では、脈波又は脈拍数を測定する脈拍測定装置として利用可能である。
【発明の効果】
【００３３】
以上より明らかなように、この発明の生体情報測定装置は、本体の被測定部位への密着性を改善して、さらに正確な測定を行うことができ、測定結果を表示部で見ることができる。
【図面の簡単な説明】
【００３４】
【図１】この発明の第１実施形態に係る生体情報測定装置を示す斜視図である。
【図２】図１に示した生体情報測定装置を構成する本体及びバンドをそれぞれ示す斜視図である。（Ａ）は本体であり、（Ｂ）はバンドである。
【図３】図１に示した生体情報測定装置の模式的断面図である。
【図４】図１に示した生体情報測定装置を被測定部位に装着した様子を模式的に示す断面図である。
【図５】バンドの例を示す図である。（Ａ）は、バンドを展開したときの平面図（装着時の外周側に相当する）である。（Ｂ）は、（Ａ）の反対側である背面図（装着時の内周側に相当する）である。
【図６】バンドの第１変形例を示す図である。（Ａ）は、バンドを展開したときの平面図（装着時の外周側に相当する）である。（Ｂ）は、（Ａ）の反対側である背面図（装着時の内周側に相当する）である。（Ｃ）は、（Ｂ）のＡ-Ａ断面図である。
【図７】バンドの第２変形例を示す図である。（Ａ）は、バンドを展開したときの平面図（装着時の外周側に相当する）である。（Ｂ）は、（Ａ）の反対側である背面図（装着時の内周側に相当する）である。
【図８】バンドの第３変形例を示す図である。（Ａ）は、バンドを展開したときの平面図（装着時の外周側に相当する）である。（Ｂ）は、（Ａ）に示したバンドの側面図である。（Ｃ）は、（Ａ）の反対側である背面図（装着時の内周側に相当する）である。
【図９】この発明の第２実施形態に係る生体情報測定装置を説明する図である。
【図１０】図９のＢ-Ｂ断面図である。
【図１１】この発明の第３実施形態に係る生体情報測定装置を説明する図である。
【図１２】図１１のＣ-Ｃ断面図である。
【図１３】この発明の生体情報測定装置の機能ブロック図である。
【発明を実施するための形態】
【００３５】
以下、この発明の実施の形態を、図面を参照しながら詳細に説明する。なお、説明の都合上、生体情報測定装置１の本体１０，１０'，１０''を示す図１乃至４、及び、図９乃至１２において、本体１０，１０'，１０''の被測定部位３の側を「下面１５の側」と、本体１０，１０'，１０''の被測定部位３との反対側を「上面１６の側」としてそれぞれ説明している。
【００３６】
この発明の一実施形態における生体情報測定装置１は、測定対象である人（以下、被測定者という）の生体情報を測定する機能を有する。測定される生体情報は、測定部５０を含む本体１０が被測定者の被測定部位３に対して密着した状態で測定することが要求されるものであり、例えば、脈波や脈拍数である。したがって、この発明の一実施形態における生体情報測定装置１は、脈拍測定装置である。なお、測定される生体情報は、血圧や体温であってもよい。また、生体情報測定装置１が装着される被測定部位３は、例えば、手首又は腕である。以下、生体情報測定装置が脈拍測定装置１である場合について説明する。
【００３７】
まず、図１乃至５及び図１３を参照して、第１実施形態に係る脈拍測定装置１を説明する。
【００３８】
図１に示すように、脈拍測定装置１は、本体１０と、バンド２０と、を含む。
【００３９】
図２（Ａ）に示すように、第１実施形態に係る脈拍測定装置１の本体１０は、下面１５から上面１６にかけて、基部１１と首部１２と頭部１３とが、順次積層された積層構造をしている。首部１２は、基部１１と頭部１３との間に位置する。基部１１と首部１２と頭部１３のいずれもが、略直方体形状をしており、各略直方体のコーナー部分には丸みが形成されている。本体１０は、被測定者の被測定部位３に対して密着して配置されて被測定部位３との接触面を形成する下面１５と、当該下面１５の反対側に位置する上面１６と、を有する。本体１０は、下面１５に沿った面方向に関して、頭部１３のサイズが基部１１のサイズよりも小さく、首部１２のサイズが頭部１３のサイズよりも小さく構成された段差構造をしている。すなわち、本体１０の首部１２が、くびれた形状をしている。
【００４０】
図３に示すように、脈拍測定装置１の本体１０は、下面１５の側に配置されて被測定者の生体情報を測定する測定部５０と、上面１６の側に配置されて測定部５０によって測定された生体情報に関する情報を表示する表示部１１４と、を備える。下面１５の側に配置された測定部５０は、赤外光又は近赤外光を発光する発光ダイオードのような発光素子５４と、フォトトランジスタのような受光素子５６と、を備える光学式センサである。
【００４１】
図４に示すように、本体１０が被測定部位３に密着して配置された状態で、発光素子５４から発せられた赤外光又は近赤外光のような測定光を被測定部位３にある動脈に照射すると、動脈を流れる赤血球によって照射光が反射され、この反射光が受光素子５６で受光される。受光素子５６で受光される反射光の光量は、脈波に応じて変化する。したがって、当該測定部５０により、脈波情報を検出して脈拍数を計測することができる。
【００４２】
なお、図３では、測定部５０が下面１５に接するように配置されているが、測定部５０が本体１０の内部に配置されるとともに、本体１０の内部に配置された測定部５０と本体１０の下面１５と連通する空間部を備える構成であってもよい。また、測定部５０としては、発光素子５４及び受光素子５６を備える光学式センサの他に、圧電体薄膜を用いた圧力式センサや、超音波を血流に当てて反射信号であるドップラー信号を検出する超音波式センサを用いることもできる。
【００４３】
図１乃至４に示すように、表示部１１４が、本体１０の上面１６の側すなわち頭部１３に配置されている。表示部１１４は、表示画面（例えば、ＬＣＤ（Liquid Crystal Display）またはＥＬ（Electroluminescence）ディスプレイなど）を含む。表示部１１４は、被測定者の生体情報に関する情報（例えば、脈拍数）等を表示画面に表示する。当該表示画面の制御は、表示制御部として機能する制御部１１１によって行われる。
【００４４】
次に、図１３を参照して、一実施形態に係る脈拍測定装置１のハードウェア構成について説明する。
【００４５】
図１３は、脈拍測定装置１をネットワーク上でも使用可能な構成として例示したものである。脈拍測定装置１は、ネットワーク（図示しない）を介して、サーバ（図示しない）に対して有線又は無線によって相互に通信可能であるように構成されている。
【００４６】
図１３に示すように、脈拍測定装置１の本体１０は、制御部１１１と、記憶部１１２と、電源１１３と、表示部１１４と、操作部１１５と、測定部５０と、通信部１２２と、を含む。
【００４７】
制御部１１１は、ＣＰＵ（Central Processing Unit；中央演算処理装置）およびその補助回路を含み、脈拍測定装置１を構成する各部を制御し、記憶部１１２に記憶されたプログラムおよびデータに従って各種の処理を実行する。すなわち、制御部１１１は、操作部１１５、および、通信部１２２から入力されたデータを処理し、処理したデータを、記憶部１１２に記憶させたり、表示部１１４で表示させたり、通信部１２２から出力させたりする。
【００４８】
制御部１１１は、ＣＰＵがプログラムを実行することにより、測定部５０の発光素子５４及び受光素子５６の発光及び受光をそれぞれ制御して、測定部５０によって測定されたデータ（例えば、脈波）に基づいて脈拍数を算出する、脈拍数算出部として働く。
【００４９】
制御部１１１は、算出された脈拍数を表示部１１４に表示することを制御する表示制御部として働く。
【００５０】
記憶部１１２は、制御部１１１でプログラムを実行するために必要な作業領域として用いられるＲＡＭ（Random Access Memory）と、制御部１１１で実行するための基本的なプログラムを記憶するためのＲＯＭ（Read Only Memory）と、を含む。また、記憶部１１２の記憶領域を補助するための補助記憶装置の記憶媒体として、半導体メモリ（メモリカード、ＳＳＤ（Solid State Drive））などを用いることができる。記憶部１１２は、被測定者の脈拍数を時系列で被測定者毎に記憶部１１２に格納することができる。
【００５１】
操作部１１５は、例えば、脈拍測定装置１の電源１１３をＯＮ又はＯＦＦするために操作される電源スイッチと、被測定者毎の測定結果を記憶部１１２に保存するためにいずれの被測定者であるかを選択するために操作される操作スイッチと、を備える。なお、操作部１１５は、本体１０の上面１６の側あるいは側面に設置することができる。
【００５２】
通信部１２２は、ネットワークを介して、制御部１１１によって生成されたデータや記憶部１１２に格納されていたデータをサーバへ送信したり、サーバの制御部（図示しない）によって生成されたデータやサーバの記憶部（図示しない）に格納されていたデータを受信したりするために用いられる。ここで、サーバとあるのは、通常のサーバに加えて、例えば、パーソナルコンピュータのような据え置き型端末、あるいは、携帯電話やスマートフォンやＰＤＡ（パーソナル・デジタル・アシスタンツ）やタブレット（tablet）のような携帯型端末を含む広い概念を意味している。
【００５３】
本体１０に収容されたハードウェア（制御部１１１、記憶部１１２、電源１１３、表示部１１４、操作部１１５、測定部５０、通信部１２２）の中で、最も重量物である電源１１３が、基部１１の中に収容されているので、本体１０の重心Ｇは基部１１に位置している。
【００５４】
なお、測定部５０及び表示部１１４については、上述したのでそれらの説明を省略する。
【００５５】
次に、図１乃至５を参照して、脈拍測定装置１のバンド２０を説明する。
【００５６】
バンド２０を展開したときの平面図（装着時の外周側に相当する）である図５（Ａ）と、（Ａ）の反対側である背面図（装着時の内周側に相当する）である図５（Ｂ）と、に示すように、バンド２０は、本来、図５の右側の長手方向に延びる細長い帯状体である。本体１０が被測定部位３から離れないように規制するバンド２０は、自在に屈曲して被測定部位３を取り巻くことができるような可撓性と、少なくとも長手方向に伸縮することができる伸縮性と、を有する生地から構成されている。バンド２０の生地は、例えば、ポリエステル、ポリウレタン、ポリアミド系合成繊維（ナイロン：登録商標）、ゴム等の材料からなる。バンド２０は、単一の生地、又は複数の生地が積層された積層体からなる構成である。
【００５７】
バンド２０は、本体１０が被測定部位３から離れないように本体１０を保持する本体保持部２３と、本体保持部２３から右側に連なって被測定部位３を取り巻く取り巻き部２５と、を有する。
【００５８】
本体保持部２３には、開口部２４が形成されている。開口部２４は、表示部１１４に対応する位置に形成されて、表示部１１４が本体１０の外部から見えることを許容する窓部として機能して、本体１０の頭部１３及び首部１２を受け入れるように開いている。上述したように、本体１０の頭部１３及び首部１２がコーナー部分に丸みを持った略矩形形状をしているので、本体１０の当該矩形形状に対応して、バンド２０の開口部２４も、バンド２０の面方向に関して、コーナー部分が丸みを持った略矩形形状をしている。開口部２４の開口サイズは、くびれた首部１２の外形サイズに略一致するように構成されている。本体１０をバンド２０に取り付けた脈拍測定装置１においては、首部１２の外形形状と略矩形の開口部２４とが係合している。したがって、本体１０の基部１１の上面から下面１５とは反対側に向けて突出する部分すなわち本体１０の首部１２の４つの側面部分１２ａ，１２ｂ，１２ｃ，１２ｄ（図２（Ａ）を参照すること。）と、バンド２０の略矩形の開口部２４を構成する４つの開口辺２４ａ，２４ｂ，２４ｃ，２４ｄと、によって、本体１０とバンド２０とが本体１０の下面１５に沿った面方向に関して相対的に移動することを規制する規制部が形成されている。
【００５９】
取り巻き部２５と、取り巻き部２５の右側に位置する終端部２７の上面２２ａとにおいては、長手方向に延びる長めの雌側面ファスナー２６及び長手方向に延びる短めの雄側面ファスナー２８がそれぞれ取り付けられている。雌側面ファスナー２６及び雄側面ファスナー２８は、互いに着脱自在に係合する面ファスナー係合構造を形成する。なお、雌側面ファスナー２６及び雄側面ファスナー２８の取り付け場所や長さを、図５（Ａ）に示したものと逆にしてもよい。また、雌側面ファスナー２６及び雄側面ファスナー２８を取り巻き部２５の下面２２ｂの側に取り付けてもよい。
【００６０】
本体保持部２３の左側端部２９には、略矩形形状に屈折されたバックル部材３０が取り付けられている。左側端部２９とバックル部材３０との間には、取り巻き部２５を挿通させることのできる隙間を持った取り付け穴３２が形成されている。
【００６１】
図１、３及び４に示すように、脈拍測定装置１の通常の使用形態においては、バンド２０の開口部２４に対して、本体１０の首部１２が嵌め込まれている。そして、本体１０の基部１１のサイズが本体１０の首部１２のサイズよりも大きいので、本体１０の基部１１がバンド２０の開口部２４の周辺部分によって支持されている。したがって、当該嵌合支持構造は、本体１０がバンド２０から不用意に脱落することを防止している。
【００６２】
図４を参照しながら、被測定部位３に対する脈拍測定装置１の装着方法について説明する。
【００６３】
被測定部位３の外周面に取り巻かれた脈拍測定装置１において、バックル部材３０に形成された取り付け穴３２の中にバンド２０の終端部２７を挿通した状態で、本体１０及びバンド２０の内周面長さが被測定部位３の外周面長さよりも長くになるように、バンド２０の長さが調整される。このとき、バンド２０の終端部２７が、バックル部材３０の内側から外側に向けて挿通され、挿通された終端部２７がバックル部材３０で折り返されている。そして、雌側面ファスナー２６は被測定部位３とは反対側の方向に向いており、雄側面ファスナー２８は被測定部位３の方向に向いているので、雌側面ファスナー２６及び雄側面ファスナー２８が互いに対面する配置になっている。
【００６４】
被測定部位３に対する測定部５０の位置決めを行ったあと、バンド２０の終端部２７を引き出すことにより、バンド２０の締め付けを行うことができる。終端部２７を引き出す量に応じて、バンド２０の締め付け具合を調整することができる。本体１０の下面１５が被測定部位３から離れないようにバンド２０の締め付け具合を適度に調整した上で、雄側面ファスナー２８を雌側面ファスナー２６に係合させることにより、被測定部位３に対する測定部５０の正確な位置決めと、本体１０の下面１５が被測定部位３から離れないような規制と、が達成される。生体情報の測定等が終了したとき、雄側面ファスナー２８と雌側面ファスナー２６との間の係合を解除することにより、バンド２０の締め付けが緩められて、脈拍測定装置１を被測定部位３から取り外すことができる。
【００６５】
［発明が解決しようとする課題］の欄で説明したように、従来技術に係る脈拍数掲出装置では、被測定部位への密着性が不十分である。そのため、従来技術に係る脈拍数掲出装置では、ジョギング等の運動中に腕を大きく振ったり素早く振ったりした場合に被測定部位に対するセンサの位置ずれが起こりやすいために、正確ではない測定がなされたりノイズが入りやすい恐れがあった。また、ジョギング等の運動中に脈拍数掲出装置を手首等に装着すると、汗や脂や埃によって脈拍数掲出装置が汚れてしまう恐れがあった。
【００６６】
これに対して、この脈拍測定装置１では、被測定部位３と接触する下面１５から上方向（すなわちバンド長手直交方向）に、基部１１の上方向距離（すなわち基部１１の厚み）で離間した首部１２に対して、バンド２０が取り付けられた構成になっている。バンド２０が本体１０の首部１２に取り付けられた構成では、図４に示すように、本体１０に取り付けられたバンド２０を被測定部位３に取り巻いたとき、バンド２０をバンド長手方向（被測定部位３の周方向）に引っ張る張力Ｆが作用する。これにともなって、基部１１の上方向距離（すなわち基部１１の厚み）に応じた、被測定部位３との接触面に対して直交して被測定部位３の中心部に向かう直交方向分力Ｆｖが作用する。当該直交方向分力Ｆｖは、本体１０を被測定部位３の側に押圧して本体１０を被測定部位３に密着させる密着力として働く。したがって、この脈拍測定装置１では、被測定部位３の中心部に向かう直交方向分力Ｆｖが働くことにより、測定部５０を有する本体１０が十分な密着性を持って被測定部位３に密着するので、被測定者の生体情報を正確に測定することができる。また、脈拍数掲出装置１が汗等で汚れてしまった場合には、バンド２０を本体１０から取り外して、バンド２０を洗濯に供することができる。
【００６７】
また、この脈拍測定装置１では、表示部１１４が、上面１６の側すなわち頭部１３に配置されているので、ユーザ（被測定者を含む。）が、表示部１１４に表示された表示内容を本体１０の外部から見ることができる。
【００６８】
次に、図６乃至８を参照しながら、図５に示したバンド２０の変形例について説明する。図６、７及び８は、それぞれ、図５に示したバンド２０の第１変形例、第２変形例及び第３変形例を示す。各変形例に係るバンド２０Ａ，２０Ｂ，２０Ｃの基本的な構成は、図５に示したバンド２０と同じであるので、図５に示したバンド２０との相違点を中心にして以下に説明する。
【００６９】
図６の（Ａ），（Ｂ），（Ｃ）は、それぞれ、第１変形例に係るバンド２０Ａを展開したときの平面図（装着時の外周側に相当）、（Ａ）の反対側である背面図（装着時の内周側に相当）、（Ｂ）に示したバンド２０ＡのＡ-Ａ線での部分断面図である。第１変形例に係るバンド２０Ａは、バンド２０Ａを補強するための補強シート４０が、バンド２０Ａの本体保持部２３に取り付けられていることを特徴としている。本体保持部２３の開口部２４を囲むように構成された補強シート４０が、接着、縫着、熱融着等の固着方法によって、バンド２０Ａの開口部２４の周囲部分に取り付けられている。補強シート４０は、略矩形形状の開口部２４に対応する略矩形形状をしている。補強シート４０は、ポリ塩化ビニル（ＰＶＣ）、ポリエチレンテレフタレート（ＰＥＴ）、ポリアミド系合成繊維（ナイロン：登録商標）、ポリウレタンからなる。図６（Ｂ）及び（Ｃ）に示すように、補強シート４０は、本体保持部２３の下面２２ｂの側に取り付けられている。バンド２０Ａが複数の生地が積層された積層体である場合には、補強シート４０を積層体の間に取り付けて、補強シート４０を外から見えないような構成にすることもできる。
【００７０】
この第１変形例に係るバンド２０Ａによれば、補強シート４０をバンド２０Ａの開口部２４を囲むように取り付けることによって、本体１０がバンド２０Ａの開口部２４から外れにくくなる。また、本体１０が開口部２４に収まることで美観性が向上し、本体１０をバンド２０Ａに対して着脱（取り付け及び取り外し）するときの耐久性も向上する。
【００７１】
図７の（Ａ），（Ｂ）は、それぞれ、第２変形例に係るバンド２０Ｂを展開したときの平面図（装着時の外周側に相当）、（Ａ）の反対側である背面図（装着時の内周側に相当）である。第２変形例に係るバンド２０Ｂは、コーナー部分に切欠４４を有する補強シート４０がバンド２０Ｂの本体保持部２３に取り付けられていることを特徴としている。すなわち、本体保持部２３の開口部２４を囲むように構成された補強シート４０は、略矩形形状をした開口部２４の各コーナー部（開口辺２４ａ，２４ｂが交わるコーナー部、開口辺２４ｂ，２４ｄが交わるコーナー部、開口辺２４ｃ，２４ｄが交わるコーナー部、開口辺２４ａ，２４ｃが交わるコーナー部）に対応するシート側コーナー部分４３のそれぞれにおいて切欠４４を有する。
【００７２】
この第２変形例に係るバンド２０Ｂにおいては、シート側コーナー部分４３以外の部分では、補強シート４０による補強効果が顕著に現れるが、切欠４４の形成された部分では、下地の本体保持部２３による伸縮性が現れる。したがって、切欠４４を補強シート４０に設けた構成では、全体として補強シート４０による補強効果を備えるとともに、補強シート４０のうちシート側コーナー部分４３で局所的な伸縮性が確保されているので、バンド２０Ｂに対する本体１０の取り付け及び取り外しが容易になる。なお、切欠４４は、例えば隣り合う２つのシート側コーナー部４３だけや対向する２つのシート側コーナー部４３だけに設けることができ、４つあるシート側コーナー部４３に対する切欠４４の設置数が限定されるものではない。
【００７３】
図８の（Ａ），（Ｂ），（Ｃ）は、それぞれ、第３変形例に係るバンド２０Ｃを展開したときの平面図（装着時の外周側に相当）、（Ａ）に示したバンド２０Ｃの側面図、（Ａ）の反対側である背面図（装着時の内周側に相当）である。第３変形例に係るバンド２０Ｃは、第１バンド部分６３及び第２バンド部分６５という２つの異なった部材で構成されている。第１バンド部分６３は、本体１０の側面部分に接する部材であり、第２バンド部分６５は、第１バンド部分６３に連結されて被測定部位３を取り巻く部材である。
【００７４】
第１バンド部分６３には、開口部６４が形成されている。開口部６４は、表示部１１４に対応する位置に形成されて、表示部１１４が本体１０の外部から見えることを許容する窓部として機能して、本体１０の頭部１３及び首部１２を受け入れるように開いている。本体１０の頭部１３及び首部１２がコーナー部分に丸みを持った略矩形形状をしているので、当該矩形形状に対応して、開口部６４も、バンド２０の面方向に関して、コーナー部分が丸みを持った略矩形形状をしている。開口部６４の開口サイズは、くびれた首部１２の外形サイズに略一致するように構成されている。
【００７５】
第１バンド部分６３の左側端部７１には、バンド挿通部７２が設けられている。バンド挿通部７２は、第２バンド部分６５の右側に位置する終端部６７を挿通させることのできる隙間を持った取り付け穴を備えている。第１バンド部分６３の右側端部７３には、バンド取り付け部７３が設けられている。バンド取り付け部７３は、第２バンド部分６５の左側端部を取り付けるための取り付け部を備えている。
【００７６】
第２バンド部分６５のうち、第１バンド部分６３の側の上面６２ａには、長手方向に延びる長めの雌側面ファスナー６６が取り付けられている。第２バンド部分６５の終端部６７の上面６２ａには、長手方向に延びる短めの雄側面ファスナー６８が取り付けられている。雌側面ファスナー６６及び雄側面ファスナー６８は、互いに着脱自在に係合する面ファスナー係合構造を形成する。なお、雌側面ファスナー６６及び雄側面ファスナー６８の取り付け場所や長さを、図８（Ａ）に示したものと逆にしてもよい。また、雌側面ファスナー６６及び雄側面ファスナー６８を第２バンド部分６５の下面６２ｂの側に取り付けてもよい。
【００７７】
この第３変形例に係るバンド２０Ｃでは、第２バンド部分６５の伸縮性が第１バンド部分６３の伸縮性よりも大きくなるように構成されている。伸縮性の大きな第２バンド部分６５が本体１０の被測定部位３への密着性の向上に貢献し、伸縮性の小さい第１バンド部分６３が本体１０の安定的な支持に貢献するので、さらに正確な測定を行うことができる。第１バンド部分６３が例えばシリコン等の材料からなり、第２バンド部分６５が、例えば、ポリエステル、ポリウレタン、ポリアミド系合成繊維（ナイロン：登録商標）、ゴム等の材料からなる。
【００７８】
図６、７及び８のそれぞれに示した、第１変形例、第２変形例及び第３変形例に係るバンド２０Ａ，２０Ｂ，２０Ｃにおいても、本体１０に取り付けられたバンド２０Ａ，２０Ｂ，２０Ｃを被測定部位３に取り巻いたとき、本体１０の基部１１の上方向距離（すなわち基部１１の厚み）に応じた、被測定部位３との接触面に対して直交して被測定部位３の中心部に向かう直交方向分力が作用することにより、本体１０が被測定部位３に密着するので、生体情報の正確な測定が可能になる。
【００７９】
次に、図９及び１０を参照して、この発明の第２実施形態に係る脈拍測定装置１０１を説明する。第２実施形態に係る脈拍測定装置１０１の基本的な構成は、上記第１実施形態に係る脈拍測定装置１と同じであるので、第１実施形態に係る脈拍測定装置１との相違点を中心にして以下に説明する。
【００８０】
第２実施形態に係る脈拍測定装置１０１は、本体１０'が基部１１及び頭部１３から構成されて、バンド２０'の開口部２４に頭部１３が受け入れられるように寸法構成されていることを特徴としている。
【００８１】
図９及び１０に示すように、脈拍測定装置１０１の本体１０'は、コーナー部分が丸みを持った大型の略直方体である基部１１の上に、コーナー部分が丸みを持った小型の略直方体である頭部１３を積み重ねた構造をしている。本体１０'は、被測定者の被測定部位３に対して密着して配置される下面１５と、当該下面１５の反対側に位置する上面１６と、バンド２０'の本体支持部２３の下面２２ｂを当接支持する段差支持面１７と、を有する。第２実施形態に係る本体１０'は、下面１５の下段側に位置する基部１１と、上面１６の上段側に位置する頭部１３と、を備える。本体１０'は、下面１５に沿った面方向に関して、頭部１３のサイズが基部１１のサイズよりも小さく構成された段差構造をしている。
【００８２】
図１０に示すように、脈拍測定装置１０１の本体１０'は、下面１５の側に配置されて被測定者の生体情報を測定する測定部５０と、上面１６の側に配置されて測定部５０によって測定された生体情報に関する情報を表示する表示部１１４と、を備える。測定部５０は、赤外光又は近赤外光を発光する発光ダイオードのような発光素子５４と、フォトトランジスタのような受光素子５６と、を備える光学式センサである。
【００８３】
本体１０'に収容されたハードウェア（制御部１１１、記憶部１１２、電源１１３、表示部１１４、操作部１１５、測定部５０、通信部１２２）のうち、最も重量物である電源１１３が、基部１１の中に収容されているので、本体１０'の重心Ｇは基部１１に位置している。
【００８４】
図９及び１０に示すように、脈拍測定装置１０１のバンド２０'は、図９の右側の長手方向に延びる細長い帯状体である。バンド２０'は、自在に屈曲して被測定部位３（図示せず）を取り巻くことができるような可撓性と、少なくとも長手方向に伸縮することができる伸縮性と、を有する生地から構成されている。バンド２０'の生地は、例えば、ポリエステル、ポリウレタン、ポリアミド系合成繊維（ナイロン：登録商標）、ゴム等の材料からなる。バンド２０'は、単一の生地、又は複数の生地が積層された積層体からなる構成である。
【００８５】
バンド２０'は、本体１０'が被測定部位３から離れないように本体１０'を保持する本体保持部２３と、本体保持部２３から右側に連なって被測定部位３を取り巻く取り巻き部２５と、を有する。図９及び１０には、取り巻き部２５の一部分が示されている。
【００８６】
本体保持部２３には、開口部２４が形成されている。開口部２４は、表示部１１４に対応する位置に形成されて、表示部１１４が本体１０'の外部から見えることを許容する窓部として機能して、本体１０'の頭部１３を受け入れるように開いている。上述したように、本体１０'の頭部１３がコーナー部分に丸みを持った略矩形形状をしているので、当該矩形形状に対応して、開口部２４も、バンド２０'の面方向に関して、コーナー部分が丸みを持った略矩形形状をしている。開口部２４の開口サイズは、頭部１３の外形サイズに略一致するように構成されている。本体１０'をバンド２０'に取り付けた脈拍測定装置１０１においては、頭部１３の外形形状と略矩形の開口部２４とが係合している。したがって、本体１０'の基部１１の上面から下面１５とは反対側に向けて突出する部分すなわち本体１０'の頭部１３を構成する４つの側面部分１３ａ，１３ｂ，１３ｃ，１３ｄと、バンド２０'の略矩形の開口部２４を構成する４つの開口辺２４ａ，２４ｂ，２４ｃ，２４ｄとによって、本体１０'とバンド２０'とが本体１０'の下面１５に沿った面方向に関して相対的に移動することを規制する規制部が形成されている。
【００８７】
取り巻き部２５の上面２２ａには、図５（Ａ）に示したものと同様に、長手方向に延びる長めの雌側面ファスナー（図示しない）及び長手方向に延びる短めの雄側面ファスナー（図示しない）がそれぞれ取り付けられている。図示しない雌側面ファスナー及び雄側面ファスナーは、互いに着脱自在に係合する面ファスナー係合構造を形成する。なお、図示しない雌側面ファスナー及び雄側面ファスナーの取り付け場所や長さを、図５（Ａ）に示したものと逆にしてもよい。また、図示しない雌側面ファスナー及び雄側面ファスナーを、取り巻き部２５の下面２２ｂの側に取り付けてもよい。バンド２０'の本体支持部２３における下面２２ｂは、本体１０'の段差支持面１７によって当接支持されている。
【００８８】
この第２実施形態に係る脈拍測定装置１０１では、被測定部位３と接触する下面１５から上方向（すなわちバンド長手直交方向）に、基部１１の上方向距離（すなわち基部１１の厚み）で離間した段差支持面１７に対して、バンド２０'が係着した構成になっている。バンド２０'が本体１０'の基部１１上の段差支持面１７に係着した構成では、本体１０'に取り付けられたバンド２０'を被測定部位３に取り巻いたとき、バンド２０'をバンド長手方向（被測定部位３の周方向）に引っ張る張力Ｆが作用する。これにともなって、基部１１の上方向距離（すなわち基部１１の厚み）に応じた、被測定部位３との接触面に対して直交して被測定部位３の中心部に向かう直交方向分力Ｆｖが作用する。当該直交方向分力Ｆｖは、本体１０'を被測定部位３の側に押圧して本体１０'を被測定部位３に密着させる密着力として働く。したがって、第２実施形態に係る脈拍測定装置１０１では、被測定部位３の中心部に向かう直交方向分力Ｆｖが働くことにより、測定部５０を有する本体１０'が十分な密着性を持って被測定部位３に密着するので、被測定者の生体情報を正確に測定することができる。また、脈拍数掲出装置１０１が汗等で汚れてしまった場合には、バンド２０'を本体１０'から取り外して、バンド２０'を洗濯に供することができる。
【００８９】
また、第２実施形態に係る脈拍測定装置１０１では、表示部１１４が、上面１６の側すなわち頭部１３に配置されているので、ユーザ（被測定者を含む。）が、表示部１１４に表示された表示内容を本体１０'の外部から見ることができる。
【００９０】
次に、図１１及び１２を参照して、この発明の第３実施形態に係る脈拍測定装置１０２を説明する。第３実施形態に係る脈拍測定装置１０２の基本的な構成は、上記第１実施形態に係る脈拍測定装置１と同じであるので、第１実施形態に係る脈拍測定装置１との相違点を中心にして以下に説明する。
【００９１】
図１１及び１２に示した第３実施形態に係る脈拍測定装置１０２は、本体１０''が略直方体形状をしていて、本体１０''の上面１６がバンド２０''の本体保持部２３で押さえ付けられているとともにバンド２０''の透光部８４を介して表示部１１４が視認できるように構成されていることを特徴としている。
【００９２】
図１１及び１２に示すように、脈拍測定装置１０２の本体１０''は、コーナー部分が丸みを持った略直方体形状をしており、被測定者の被測定部位３に対して密着して配置される下面１５と、当該下面１５の反対側に位置する上面１６と、を有する。第３実施形態に係る本体１０''は、下面１５に沿った面方向に関して、コーナー部分が丸みを持った略矩形形状をしている。
【００９３】
図１２に示すように、脈拍測定装置１０２の本体１０''は、下面１５の側に配置されて被測定者の生体情報を測定する測定部５０と、上面１６の側に配置されて測定部５０によって測定された生体情報に関する情報を表示する表示部１１４と、を備える。測定部５０は、赤外光又は近赤外光を発光する発光ダイオードのような発光素子５４と、フォトトランジスタのような受光素子５６と、を備える光学式センサである。
【００９４】
本体１０''の上面１６には、上向きに突出したピン８１が設けられている。図１１に示した態様では、バンド２０''の透光部８４を囲む左側及び右側の周囲部分のそれぞれに、２つのピン８１が設けられていて、合計４つのピン８１が設けられている。なお、図１１に示した態様において、透光部８４を囲む前側及び後側の周囲部分のそれぞれに、ピン８１を設けることもできる。本体１０''の上面１６に設置されるピン８１は、図１１に示した態様の４つ以外の個数、例えば１つ、２つあるいは３つ等とすることもできる。
【００９５】
図１１及び１２に示すように、脈拍測定装置１０２のバンド２０''は、図１１の右側の長手方向に延びる細長い帯状体である。バンド２０''は、自在に屈曲して被測定部位３（図示せず）を取り巻くことができるような可撓性と、少なくとも長手方向に伸縮することができる伸縮性と、を有する生地から構成されている。バンド２０''の生地は、例えば、ポリエステル、ポリウレタン、ポリアミド系合成繊維（ナイロン：登録商標）、ゴム等の材料からなる。バンド２０''は、単一の生地、又は複数の生地が積層された積層体からなる構成である。
【００９６】
バンド２０''は、本体１０''が被測定部位３から離れないように本体１０''を保持する本体保持部２３と、本体保持部２３から右側に連なって被測定部位３を取り巻く取り巻き部２５と、を有する。図１１及び１２には、取り巻き部２５の左側の一部分を示している。
【００９７】
表示部１１４に対応する位置に形成されて、表示部１１４が本体１０''の外部から見えることを許容する窓部として機能する透光部８４が、バンド２０''の本体保持部２３に形成されている。本体１０''の表示部１１４が本体１０''の外部から見えるように、透光部８４の窓サイズは、表示部１１４のサイズよりも大きいように構成されている。透光部８４は、例えば、アクリル樹脂や塩化ビニル樹脂（PVC）等からなる透明部材をバンド２０''に形成された開口部の周囲部分に対して、接着や縫着や熱融着等の固着方法で取り付けられる。なお、バンド２０''の本体保持部２３に形成される透光部８４は、透明部材を有しないで本体保持部２３の一部分が取り除かれた単なる開口部であってもよい。
【００９８】
上述した本体１０''の本体保持部２３の上面１６に突設されたピン８１に対応して、バンド２０''の透光部８４を囲む左側及び右側の周囲部分のそれぞれに、２つの貫通した係合孔８２が設けられている。本体保持部２３の上面１６には、合計４つの係合孔８２が立設されている。４つのピン８１が、４つの係合孔８２に対してそれぞれ係合する。したがって、本体１０''の本体保持部２３の上面１６に立設されたピン８１と、バンド２０''の本体保持部２３の上面１６に形成された係合孔８２とによって、本体１０''とバンド２０''とが本体１０''の下面１５に沿った面方向に関して相対的に移動することを規制する規制部が形成されている。
【００９９】
取り巻き部２５の上面２２ａには、図５（Ａ）に示したものと同様に、長手方向に延びる長めの雌側面ファスナー（図示しない）及び長手方向に延びる短めの雄側面ファスナー（図示しない）がそれぞれ取り付けられている。図示しない雌側面ファスナー及び雄側面ファスナーは、互いに着脱自在に係合する面ファスナー係合構造を形成する。なお、図示しない雌側面ファスナー及び雄側面ファスナーの取り付け場所や長さを、図５（Ａ）に示したものと逆にしてもよい。また、図示しない雌側面ファスナー及び雄側面ファスナーを取り巻き部２５の下面２２ｂの側に取り付けてもよい。バンド２０''の本体支持部２３における下面２２ｂは、本体１０''の上面１６によって当接支持されている。
【０１００】
この第３実施形態に係る脈拍測定装置１０２では、被測定部位３と接触する下面１５から上方向（すなわちバンド長手直交方向）に、本体１０''の上方向距離（すなわち本体１０''の厚み）で離間した段差支持面１７に対してバンド２０''が係着した構成になっている。バンド２０''が本体１０''の上面１６に係着した構成では、本体１０''に取り付けられたバンド２０''を被測定部位３に取り巻いたとき、バンド２０''をバンド長手方向（被測定部位３の周方向）に引っ張る張力Ｆが作用する。これにともなって、本体１０''の上方向距離（すなわち本体１０''の厚み）に応じた、被測定部位３との接触面に対して直交して被測定部位３の中心部に向かう直交方向分力Ｆｖが作用する。当該直交方向分力Ｆｖは、本体１０''を被測定部位３の側に押圧して本体１０''を被測定部位３に密着させる密着力として働く。したがって、第３実施形態に係る脈拍測定装置１０２では、被測定部位３の中心部に向かう直交方向分力Ｆｖが働くことにより、測定部５０を有する本体１０''が十分な密着性を持って被測定部位３に密着するので、被測定者の生体情報を正確に測定することができる。また、脈拍数掲出装置１０２が汗等で汚れてしまった場合には、バンド２０''を本体１０''から取り外して、バンド２０''を洗濯に供することができる。
【０１０１】
また、第３実施形態に係る脈拍測定装置１０２では、表示部１１４が、本体１０''の上面１６の側に配置されているので、ユーザ（被測定者を含む。）が、透光部８４を介して、表示部１１４に表示された表示内容を本体１０''の外部から見ることができる。
【０１０２】
したがって、この発明の脈拍測定装置１，１０１，１０２によれば、本体１０，１０'，１０''の被測定部位３への密着性を改善して、さらに正確な測定を行うことができ、ユーザ（被測定者を含む。）が、測定結果を表示部１１４で見ることができる。
【０１０３】
なお、生体情報測定装置１，１０１，１０２が装着される被測定部位３として、手首又は腕を例示したが、他の装着可能な被測定部位３として、指部、足首部、大腿部又は頸部等を挙げることができる。
【０１０４】
上述した実施形態及びその変形例は、この発明の理解を容易にするための例示であり、限定的に解釈するべきではない。この発明の技術的範囲は、特許請求の範囲によって画定されるべきである。
【符号の説明】
【０１０５】
１，１０１，１０２  脈拍測定装置（生体情報測定装置）
３  被測定部位
１０，１０'，１０''  本体
１１  基部
１２  首部
１３  頭部
１５  下面
１６  上面（下面の反対面）
２０，２０'，２０''  バンド
２３  本体保持部
２４  開口部（窓部）
２５  取り巻き部
２６  雌側面ファスナー
２７  終端部
２８  雄側面ファスナー
４０  補強シート
４４  切欠
５０  測定部
５４  発光素子
５６  受光素子
６３  第１バンド部分
６４  開口部（窓部）
６５  第２バンド部分
８１  ピン
８２  係合孔
８４  透光部（窓部）
１１４  表示部
【図１】
2014018357.tif 000003
【図２】
2014018357.tif 000004
【図３】
2014018357.tif 000005
【図４】
2014018357.tif 000006
【図５】
2014018357.tif 000007
【図６】
2014018357.tif 000008
【図７】
2014018357.tif 000009
【図８】
2014018357.tif 000010
【図９】
2014018357.tif 000011
【図１０】
2014018357.tif 000012
【図１１】
2014018357.tif 000013
【図１２】
2014018357.tif 000014
【図１３】
2014018357.tif 000015